(57)【要約】ビデオドライバは、ビデオ入力信号ａＭＰ−ｉＮを受信するために適合される入力ステージ３２０，３２２，３２４、キャパシタを充電するためにビデオ出力信号ａＭＰ−ｏＵＴを提供するために適合される出力ステージ３３０，３３２，３３４、ビデオ出力信号をビデオ入力信号に追従させるために適合される入力ステージと出力ステージとの間のフィードバック経路３３０，３２２、及びキャパシタの更なる充電をディスエーブルにするため、出力ステージを選択的にオフにするためのサンプル・ホールド手段３８０，３９０を含んでいる。１実施の形態では、出力ステージは、第一の供給電圧ＶＤＤと第二の供給電圧Ｅｎｄとの間に直列に接続される相補的なトランジスタ３３２，３３４を含んでいる。サンプル・ホールド手段は、相補的なトランジスタのうちの第一の１つの制御入力３０７と第一の供給電圧との間に接続される第一のサンプル・ホールドスイッチ３８０、及び相補的なトランジスタのうちの第二の１つの制御入力３０９と第二の供給電圧との間に接続される第二のサンプル・ホールドスイッチ３９０を含んでいる。
2006510945.tif 000002
【特許請求の範囲】
【請求項１】
電圧ランプ入力信号を受信及び記憶するために適合されるバッファ増幅器であって、該電圧ランプ入力信号を受信するために適合される入力ステージ、ビデオ出力信号を提供するために適合され、第一の供給電圧と第二の供給電圧の間で直列に接続される出力ステージトランジスタのペアを有する出力ステージ、及び該出力ステージがイネーブルにされたとき、該ビデオ出力信号を該電圧ランプ入力信号に追従させるために適合される、該出力ステージと該入力ステージとの間のフィードバック経路を有するバッファ増幅器と、
該出力ステージトランジスタのうちの第一のトランジスタの制御端子と該第一の供給電圧との間に配置される第一のサンプル・ホールドスイッチであって、第一のサンプル・ホールド制御信号に応答して、該出力ステージトランジスタのうちの第一のトランジスタの制御端子を該第一の供給電圧に選択的に接続し、該出力ステージトランジスタのうちの第一のトランジスタをオフにする第一のサンプル・ホールドスイッチと、
該出力ステージトランジスタのうちの第二のトランジスタの制御端子と該第二の供給電圧との間に配置される第二のサンプル・ホールドスイッチであって、第二のサンプル・ホールド制御信号に応答して、該出力ステージトランジスタのうちの第二のトランジスタの制御端子を該第二の供給電圧に選択的に接続し、該出力ステージトランジスタのうちの第二のトランジスタをオフにする第二のサンプル・ホールドスイッチと、
を有することを特徴とするディスプレイ装置用のビデオドライバ。
【請求項２】
該第一及び第二のサンプル・ホールドスイッチは、トランジスタをそれぞれ有する、
請求項１記載のビデオドライバ。
【請求項３】
該第一及び第二のサンプル・ホールドスイッチの制御端子に接続され、該第一及び第二のサンプル・ホールド制御信号を該端子に提供するサンプル・ホールド制御端子のペアを更に有する、
請求項１記載のビデオドライバ。
【請求項４】
該出力ステージと該入力ステージとの間のフィードバック経路における伝送ゲートを更に有する、
請求項１記載のビデオドライバ。
【請求項５】
該伝送ゲートは、相補的なトランジスタのペアを有する、
請求項４記載のビデオドライバ。
【請求項６】
該伝送ゲートの相補的なトランジスタのペアの制御端子に接続されるサンプル・ホールド制御端子のペアを更に有する、
請求項５記載のビデオドライバ。
【請求項７】
電圧ランプ入力信号を受信するために適合される入力ステージと、
キャパシタを充電するためにビデオ出力信号を提供するために適合される出力ステージと、
該出力ステージがイネーブルにされたとき、該キャパシタを充電するためにビデオ出力信号を該電圧ランプ入力信号に追従させるために適合される、該出力ステージと該入力ステージとの間のフィードバック経路と、
該キャパシタの更なる充電を不可能にするために該出力ステージを選択的にディスエーブルにするためのサンプリング手段と、
を有するディスプレイ装置用のビデオドライバ。
【請求項８】
該サンプリング手段は、該出力ステージの出力制御端子と供給電圧との間に配置されるサンプル・ホールドスイッチを有する、
請求項７記載のビデオドライバ。
【請求項９】
該サンプリング手段は、該出力ステージの第二の出力制御信号と第二の供給電圧との間に配置される第二のサンプル・ホールドスイッチを有する、
請求項８記載のビデオドライバ。
【請求項１０】
該出力ステージは、直列に接続されたトランジスタのペアを含み、該第一及び第二の出力制御端子は、トランジスタのペアのゲートに接続される、
請求項９記載のビデオドライバ。
【請求項１１】
該出力ステージと該入力ステージとの間のフィードバック経路における伝送ゲートを更に有する、
請求項７記載のビデオドライバ。
【請求項１２】
該伝送ゲートは相補的なトランジスタのペアを有する、
請求項１１記載のビデオドライバ。
【請求項１３】
該伝送ゲートの相補的なトランジスタのペアの制御端子に接続されたサンプル・ホールド制御端子のペアを更に有する、
請求項１２記載のビデオドライバ。
【請求項１４】
電圧ランプ信号を受信し、キャパシタを充電するためにビデオ出力信号を出力するために適合される増幅器と、
該キャパシタの更なる充電を不可能にして、前に充電された電圧を保持するため、該増幅器が該ビデオ出力信号を更に出力するのを選択的に不可能にするためのサンプリング手段と、
を有することを特徴とするディスプレイ装置用のビデオドライバ。
【請求項１５】
該増幅器は、少なくとも１つの出力制御端子を有し、該サンプリング手段は、該出力制御端子と供給電圧との間に配置されるサンプル・ホールドスイッチを有する、
請求項１４記載のビデオドライバ。
【請求項１６】
該増幅器は、第一及び第二の制御端子を有し、該サンプリング手段は、該第一の出力制御端子と第一の供給電圧との間、及び該第二の出力制御端子と該第二の供給電圧との間にそれぞれ配置される第一及び第二のサンプル・ホールドスイッチを有する、
請求項１４記載のビデオドライバ。
【請求項１７】
該増幅器は、直列に接続されるトランジスタのペアを含み、該第一及び第二の制御出力端子は、該トランジスタのペアのゲートに接続される、
請求項１６記載のビデオドライバ。
【請求項１８】
該増幅器のフィードバック経路における伝送ゲートを更に有する、
請求項１４記載のビデオドライバ。
【請求項１９】
該伝送ゲートは、相補的なトランジスタのペアを有する、
請求項１８記載のビデオドライバ。
【請求項２０】
該伝送ゲートの相補的なトランジスタのペアの制御端子に接続されるサンプル・ホールド制御端子のペアを更に有する、
請求項１９記載のビデオドライバ。
【発明の詳細な説明】
【技術分野】
【０００１】
本発明は、ビデオ駆動回路に関し、より詳細には、ＬＣＯＳ（Liquid  Crystal  on  Silicon）のような液晶ディスプレイ（ＬＣＤ）との使用のために良好に適合されるビデオドライバに関する。
【背景技術】
【０００２】
ＬＣＯＳ（Liquid  Crystal  on  Silicon）ディスプレイを含む液晶ディスプレイ（ＬＣＤ）は、行と列からなるマトリクスに配列された複数の画素を含んでいる。たとえば、典型的なＬＣＤは、数百（たとえば７６８）の水平ライン又は行を有する場合があり、この場合、それぞれの行は、対応する数の列に配列された多数の画素（たとえば、１２８０画素）を含んでいる。ディスプレイは、複数の行（選択）ライン及び複数の列（データ）ラインを更に含んでおり、それぞれの画素は、行ラインのうちの１つと列ラインのうちの１つとが交差する対応するエリアに配置され、画素は、対応する行ライン及び列ラインに接続されている。ＬＣＤが画素トランジスタを含んでいるアクティブマトリクス型のＬＣＤであるとき、行ラインは、画素トランジスタのゲートに接続されており、列ラインは、画素トランジスタのソース（又はドレイン）に接続されている。かかるケースでは、行（選択）ラインは、ゲートラインと呼ばれることがあり、列（データ）ラインは、ソースラインと呼ばれることがある。
【０００３】
かかるディスプレイに画像を表示するため、ビデオ信号は、行毎に垂直に走査される。すなわち、ビデオフレームの間、それぞれの画素からなる水平ライン（行）は、ビデオデータをそのラインにおける複数の画素に書き込むために一度にアクチベートされる。１水平ラインのインターバルの間にある行の全ての画素にビデオデータを書き込んだ後、その行はデアクチベートされ、その行における画素は次のフレームまでビデオデータを蓄積し、新たなビデオデータはディスプレイの行の残りに書き込まれる。
【０００４】
ＬＣＤ装置は、ビデオデータを選択された行の画素に書き込むためのドライバ回路を利用している。より詳細には、ＬＣＤ装置は、ビデオデータをディスプレイの画素に書き込むために行（ゲート）ドライバ回路及び列（ビデオ）ドライバ回路を典型的に含んでいる。行ドライバ回路は、１行毎に行をアクチベートする。それぞれの水平ラインのインターバルの間、ビデオドライバは、所望の電圧信号をそれぞれの列に印加し、関連する画素に所望のビデオデータを記憶させる。
【０００５】
図１は、例示的なビデオドライバの動作を説明するため、ビデオディスプレイ装置１００（Ｎ行×Ｍ列）の１実施の形態を示している。例示的なビデオ表示装置１００は、アクティブマトリクス型のＬＣＯＳ装置であり、以下に説明される原理は、より一般的に適用することができる。
【０００６】
表示装置１００は、複数の画素１１０を含んでおり、これらの画素は、それぞれ対応する行ライン１２０と対応する列ライン１３０の交点に配置されている。それぞれの画素１１０は、スイッチングトランジスタ１１２及びストレージ（ピクセル）キャパシタ１１４を含んでいる。ディスプレイ駆動回路は、ランプ発生器１４０、ランプ発生器１４０の出力に接続されるライン駆動バッファ増幅器１５０、及び複数のサンプル／ホールド（Ｓ／Ｈ）伝送ゲート１６０を含んでおり、それぞれＳ／Ｈ伝送ゲート１６０は、ライン駆動バッファ増幅器１５０の出力と列ライン１３０の対応する１つとの間に接続される。それぞれのＳ／Ｈ伝送ゲート１６０に関連されるのは、カウンタ１７２、ビデオデータレジスタ１７４、コンパレータ１７６、及びシフトレジスタであり、これらは、以下に更に詳細に説明される。
【０００７】
ここで、表示装置１００の動作に関する説明が与えられる。先に述べたように、行ドライバ回路（図示せず）は、一度に、行アクチベーション信号をそれぞれの行ライン１２０に印加し、新たなビデオデータをそこに書き込むために対応する画素１１０の行をイネーブルにする。ある行の画素がそこにビデオデータを書き込むためにイネーブルにされる時間の周期は、水平ライン期間として本明細書では呼ばれる。
【０００８】
それぞれの水平ライン期間の開始で、列ライン１３０に関連されるカウンタ１７２は全てリセットされる。カウンタ１７２がカウントアップするか、カウントダウンするかに依存して、「ゼロ」にリセットするか、又はそれらの最大のカウント値にリセットする。本明細書で記載される例では、カウンタがカウントアップされ、したがってゼロにリセットされることが想定される。それぞれ水平ライン期間の開始で、それぞれの列ライン１３０について、デジタル「グレイレベル」ビデオデータワードがそれぞれのビデオデータレジスタ１７４に書き込まれる。ビデオデータワードは、対応する画素に書き込まれ、次のビデオフレームのためにそこに記憶されるべきビデオデータを示している。ビデオデータがビデオデータレジスタ１７４に書き込まれた後、カウンタ１７２はカウントを開始する。コンパレータ１７６は、ビデオデータワードをカウンタ１７２の出力に比較し、そこから、比較信号を生成する。比較信号は、カウンタ１７２のカウント値がビデオデータレジスタ１７４に記憶されているビデオデータワードの値を超えているかを示している。
【０００９】
したがって、それぞれの水平ライン期間の間、比較信号は、カウンタ１７２がビデオデータレジスタ１７４に記憶されているビデオデータワードの値を超えるカウント値までカウントアップするまで、第一の論理値（たとえば“１”）を有し、このカウントアップのときに、水平ライン期間の残りについて第二の論理値に切り替わる。
【００１０】
レベルシフタ１８０は、対応するＳ／Ｈ伝送ゲート１６０の２つの制御端子に接続される２つの相補的な出力端子を有している。比較信号から、レベルシフタ１８０は、Ｓ／Ｈ伝送ゲート１６０のスイッチング動作を制御するために効果的な電圧レベル（たとえば、０−１５ボルト）にレベルシフトされる２つの相補的な出力端子で、相補的なサンプル・アンド・ホールド（Ｓ／Ｈ）制御信号を生成する。
【００１１】
その後、それぞれの水平ライン期間の間、ランプジェネレータ１４０は、電圧ランプを発生し、この電圧ランプは、たとえば、「白」画素（完全にオン）に対応する電圧レベルで開始し、「黒」画素（完全にオフ）に対応する電圧レベルに立ち上がる。電圧ランプは、ランプジェネレータ１４０からライン駆動バッファ増幅器１４０に供給される。ライン駆動バッファ増幅器１５０は、多数の列ライン１３０を駆動するために十分な駆動キャパシティをもつバッファされた電圧ランプを出力する。
【００１２】
その２つの制御端子に供給される相補的なサンプル・ホールド（Ｓ／Ｈ）制御信号に応答して、それぞれのＳ／Ｈ伝送ゲート１６０は、対応する列ライン１３０をライン駆動バッファ増幅器１５０により出力されたバッファされた電圧ランプに選択的に接続するためのスイッチとして作用する。
【００１３】
例示的な行ライン１２０ｉ及び例示的な列ライン１３０ｊに接続される例示的な画素１１０ｉｊを考慮して、動作が更に詳細に説明される。
【００１４】
水平ライン期間“Ｔｉ”の間、例示的な行ライン１２０ｉは、（図示せず）行ドライバによりアクチベートされる。先に説明されるように、ビデオデータワードがビデオデータレジスタ１７４ｊに記憶されるとき、カウンタ１７２ｊは、ゼロからカウントアップし始める。カウンタ１７２ｊのカウント値がビデオデータレジスタ１７４ｊに記憶されているビデオデータワードの値よりも低い限り、レベルシフタ１８０ｊからの相補的なサンプル・ホールド（Ｓ／Ｈ）制御信号は、Ｓ／Ｈ伝送ゲート１６０ｊを「閉じる」ために動作し、これにより、ライン駆動バッファ増幅器１５０から列ライン１３０ｊまでの電圧ランプを電圧信号として提供する。画素１１０ｉｊはアクチベートされた行ライン１２０ｉに接続されるので、スイッチングトランジスタ１１２ｉｊは、列ライン１３０ｊをピクセルキャパシタ１１４ｉに接続するためにオンにされる。したがって、電圧ランプは、ピクセルキャパシタ１１４ｉｊの電圧を充電し、これにより、ビデオデータを書き込む。ピクセルキャパシタ１１４ｉｊは、Ｓ／Ｈ伝送ゲート１６０ｊが閉じる限り充電し続ける。
【００１５】
カウンタ１７２ｊのカウント値がビデオデータレジスタ１７４ｊに記憶されているビデオデータワードの値よりも大きくなると、レベルシフタ１８０ｊからの相補的なサンプル・ホールド（Ｓ／Ｈ）制御信号は、Ｓ／Ｈ伝送ゲート１６０ｊを「開く」ために動作し、これにより、ライン駆動バッファ増幅器１５０により出力された電圧ランプを列ライン１３０ｊから切り離す。そのとき、どのような電圧がピクセルキャパシタ１１４ｉｊに充電されていても、行ライン１２０ｉが次のビデオフレームの間に再びアクチベートされるまでそこに記憶されたままとなる。容易に理解することができるように、先の例でピクセルキャパシタ１１４ｉｊに書き込まれて記憶されたビデオデータの値を増加するため、ビデオコントローラは、より大きな値をもつビデオデータワードをビデオデータレジスタ１７４ｊに書き込み、これにより、ピクセルキャパシタ１１４ｉｊをより大きな値に充電するための電圧ランプをイネーブルにするため、より長い期間についてＳ／Ｈ伝送ゲート１６０ｊの「オン」状態を保持する。逆に、先の例でピクセルキャパシタ１１４ｉｊに書き込まれ記憶されているビデオデータの値を減少するため、ビデオコントローラは、より小さな値をもつビデオデータをビデオデータレジスタ１７４ｊに書き込む。
【００１６】
このように、ビデオデータは、ビデオデータレジスタ１７４ｘ（ｘ：１〜Ｍ）のそれぞれに記憶される異なるビデオデータワードに従い、水平ライン期間Ｔｉの間に行ライン１２０ｉに関連される全ての画素１１０ｉｘ（ｘ：１〜Ｍ）に書き込まれ、記憶される。このプロセスは、表示装置１００の全ての画素１１０に全体のビデオフレームを記憶するため、それぞれの行ライン１２０ｙ（ｙ：１〜Ｎ）について繰り返される。
【発明の開示】
【発明が解決しようとする課題】
【００１７】
残念ながら、先に記載されたビデオドライバ回路の動作について問題点がある。原理的に、１つのライン駆動バッファ増幅器１５０で多数の列ライン１３０（たとえば、１２８０列ライン）を駆動することが非常に難しい。たとえば、例示的なＬＣＯＳ装置では、ライン駆動バッファ増幅器１５０は、帯域幅２０〜３０ＭＨｚかつピーク出力電流の機能１Ａｍｐで動作しなければならない。
【００１８】
図２は、この問題に対処するビデオディスプレイ装置２００の別の実施の形態を示している。ビデオディスプレイ装置２００の動作は、ビデオディスプレイ装置１００の動作と同じであり、したがって、その説明はここでは省略される。ビデオディスプレイ装置２００とビデオディスプレイ装置１００との間の主な違いは、ビデオディスプレイ装置２００が複数のライン駆動バッファ増幅器２５０を含んでおり、１つがそれぞれの列ライン２３０と関連されていることである。
【００１９】
残念ながら、ビデオ表示装置２００には問題点がある。はじめに、それぞれの列について専用のライン駆動バッファ増幅器２５０を含むことは、多くの回路を必要とする点である（たとえば、典型的なＬＣＯＳディスプレイ装置２００は、１２８０列ラインを有する場合があり、したがって、１２８０の個別のライン駆動バッファ増幅器２５０を必要としている）。このことは、ＬＣＯＳ装置における望まれない量のシリコンエリアを費やすことになる。
【００２０】
先に記載されたビデオドライバ回路の両者について他の問題点がある。はじめに、ビデオディスプレイ装置１００及び２００おけるＳ／Ｈ伝送ゲートは、低インピーダンスを有する必要がある。したがって、これらのＳ／Ｈ伝送ゲートは、比較的大きなトランジスタであり、ビデオドライバ回路により費やされるＬＣＯＳ装置におけるシリコンエリアの量が追加される。第二に、Ｓ／Ｈ伝送ゲートは、サンプル・ホールドプロセスにおける望まれないサンプリングオフセットを生じるかなりのフィードスルーに苦しむ。
【００２１】
したがって、低減されたシリコンエリアを占めるビデオドライバ回路を提供することが望まれる。また、低減された充電のフィードスルーを示すビデオドライバ回路を提供することが望まれる。さらに、より少ないエリアを占有し、低減された充電のフィードスルーを示すビデオドライバ回路を含むＬＣＯＳ装置を提供することが望まれる。本発明は、１以上の先の問題に対処することに向けられる。
【課題を解決するための手段】
【００２２】
本発明の１態様では、表示装置用のビデオドライバは、以下を有している。バッファ増幅器は、電圧ランプ入力信号を受信及び記憶するために適合され、該電圧ランプ入力信号を受信するために適合される入力ステージ、ビデオ出力信号を出力するために適合され、第一の供給電圧と第二の供給電圧との間で直列に接続される出力ステージトランジスタのペアを有する出力ステージ、及び出力ステージがイネーブルされたときにビデオ出力信号を電圧ランプ入力信号に追従させるために適合される、出力ステージと入力ステージとの間のフィードバック経路を有する。第一のサンプル・ホールドスイッチは、出力ステージトランジスタの第一の１つの制御端子と第一の供給電圧との間に配置され、第一のサンプル・ホールド制御信号に応答して、出力ステージトランジスタのうちの第一の１つの制御端子を第一の供給電圧に選択的に接続し、出力ステージトランジスタのうちの第一の１つをオフにする。第二のサンプル・ホールドスイッチは、出力ステージトランジスタのうちの第二の１つの制御端子と第二の供給端子との間に配置され、第二のサンプル・ホールド制御信号に応答して、出力ステージトランジスタのうちの第二の１つの制御端子第二の供給電圧に選択的に接続し、出力ステージトランジスタのうちの第二の１つをオフにする。
【００２３】
本発明の別の態様では、表示装置用のビデオドライバは、電圧ランプ入力信号を受信するために適合される入力ステージ、キャパシタを充電するためにビデオ出力信号を提供するために適合される出力ステージ、出力ステージがイネーブルにされたときにキャパシタを充電するためにビデオ出力信号を電圧ランプ入力信号に追従させるために適合される出力ステージと入力ステージとの間のフィードバック経路、及びキャパシタの更なる充電をディスエーブルにするために出力ステージを選択的にディスエーブルにするためのサンプリング手段を有している。
【００２４】
本発明の更に別の態様では、表示装置のビデオドライバは、電圧ランプ信号を受信し、キャパシタを充電するためにビデオ出力信号を出力するために適合される増幅器、ビデオ出力信号を更に出力することから増幅器を選択的にディスエーブルして、キャパシタの更なる充電をディスエーブルして前に充電された電圧を維持するサンプリング手段を有している。
【発明を実施するための最良の形態】
【００２５】
図３は、本発明の１以上の態様に係る、ディスプレイ装置用のビデオドライバ３００の実施の形態を示す図である。ビデオドライバ３００は、集積されたサンプル・ホールド及びバッファ増幅器を有している。ビデオドライバ３００は、バッファ増幅器３１０、バッファ増幅器３１０の第一の出力制御端子３０７と第一の供給電圧Ｖddとの間に結合される第一のサンプル・ホールド（Ｓ／Ｈ）スイッチ３８０、バッファ増幅器３１０の第二の出力制御端子３０９と第二の供給電圧Ｖss（たとえばグランド）との間に結合される第二のサンプル・ホールド（Ｓ／Ｈ）スイッチ３９０を含んでいる。
【００２６】
バッファ増幅器３１０は、入力ステージ３２０及び出力ステージ３３０を含んでいる。入力ステージは、トランジスタ３２２及び３２４の差動のペアを含んでいる。出力ステージ３３０は、第一の供給電圧と第二の供給電圧との間で直列に接続されるトランジスタ３３２及び３３４のペアを含んでいる。
【００２７】
入力ステージ３２０のトランジスタ３２４のゲートは、ビデオドライバ３００のビデオ入力端子３３５に接続されている。その後、出力トランジスタ３３２，３３４は、ビデオドライバ３００のビデオ出力端子３４５に接続される。フィードバック信号は、ビデオ出力端子３４５を入力ステージ３２０のトランジスタ３２２のゲートに接続し、出力ステージから入力ステージにフィードバック信号を供給する。また、第一及び第二のＳ／Ｈスイッチ３８０，３９０の制御端子は、ビデオドライバ３００の相補的なＳ／Ｈ制御入力端子に接続される。
【００２８】
ここで、ビデオドライバ３００の動作の説明は、利用される場合がある例示的なＬＣＯＳディスプレイ装置の環境で提供される。
【００２９】
図５は、例示的なＬＣＯＳディスプレイ装置５００を示している。ビデオディスプレイ装置５００の動作は、ビデオディスプレイ装置１００及び２００の動作と一般的に同じであり、その詳細な説明はここでは省略される。ビデオディスプレイ装置５００とビデオディスプレイ装置２００の間の主な違いは、ビデオディスプレイ装置５００が複数のビデオドライバ５５５を含んでおり、１つがビデオディスプレイ装置２００のライン駆動バッファ増幅器２５０及びＳ／Ｈ伝送ゲート２６０の代わりにそれぞれに列ライン５３０に関連されることである。それぞれのビデオドライバ５５５は、図３のビデオドライバ３００により実施される場合があり、以下の説明では、ビデオドライバ５５５が図３のビデオドライバ３００に対応することが想定される。
【００３０】
図３及び図５を参照して、ランプジェネレータ５４０の出力は、電圧ランプをそれに供給するためにビデオドライバ３００のビデオ入力端子３３５に接続される。その後、ビデオドライバ３００のビデオ出力端子３４５は、列ライン５３０ｊに接続される。また、２つの相補的な出力端子５８１，５８２は、相補的なサンプル・ホールド（Ｓ／Ｈ）制御信号をこれに提供するため、ビデオドライバ３００の相補的なＳ／Ｈ制御端子３１５，３２５にそれぞれ接続される。
【００３１】
水平ライン期間の開始で、カウンタ５７２ｊのカウント値がビデオデータレジスタ５７４ｊに記憶されているビデオデータワードの値よりも低い限り、レベルシフタ５８０ｊからの相補的なＳ／Ｈ制御信号は、第一の出力状態を有する（たとえば、出力端子５８１は、＋１５Ｖのような正の電圧を有し、出力端子５８２は、グランド電圧を有する）。ビデオドライバ３００のＳ／Ｈ制御端子３１５，３２５に供給される相補的なＳ／Ｈ制御信号が第一の出力状態をとき、第一及び第二のＳ／Ｈスイッチ３８０，３９０が開く（トランジスタがオフになる）。したがって、ビデオドライバ３００の出力ステージ３３０は、ビデオ入力端子３３５からのランプ電圧を列ライン５３０ｊに接続されるビデオ出力端子３４５に供給するように、ビデオドライバ３００は「トラッキングモード」で動作する。画素５１０ｉｊに接続される行ライン５２０ｉがアクチベートされたとき、スイッチングトランジスタ５１２ｉｊは、行ライン５３０ｊをピクセルキャパシタ５１４ｉｊに接続するためにオンにされる。したがって、電圧ランプは、ピクセルキャパシタ５１４ｉｊの電圧を充電し、これにより、そこにビデオデータを書き込む。ピクセルキャパシタ５１４ｉｊは、出力ステージ３３０がアクチベートされる限り、充電し続ける。
【００３２】
カウンタ５７２ｊのカウント値はビデオデータレジスタ５７４ｊに記憶されているビデオデータワードの値よりも大きくなると、レベルシフタ５８０ｊからの相補的なサンプル・ホールド（Ｓ／Ｈ）制御信号は、第二の出力状態に変わる（たとえば、出力端子５８１はグランド電圧を有し、出力端子５８２は＋１５Ｖのような正の電圧を有する）。ビデオドライバ３００のＳ／Ｈ制御端子３１５，３２５に供給される相補的なＳ／Ｈ制御信号３１５，３２５が第二の出力状態を有するとき、第一及び第二のＳ／Ｈスイッチ３８０／３９０が閉じ（トランジスタがオンになる）、これにより、出力制御端子３０７を第一の供給電圧に接続し、出力制御端子３０９を第二の供給電圧に接続する。これにより、出力ステージ３３０のトランジスタ３３２及び３３４がオフにされ、列ライン５３０ｊ及びこれによりピクセルキャパシタ５１４ｉｊの電圧の更なる充電が防止される。したがって、ビデオドライバ３００は、「ホールドモード」で動作する。そのとき、どのような電圧がピクセルキャパシタ５１４ｉｊに既に充電されていようと、行ライン５２０は次のビデオフレームの間に再びアクチベートされるまでそこに記憶されたままとなる。
【００３３】
有利なことに、ピクセルキャパシタ５１４を充電するＳ／Ｈスイッチ３８０，３９０は電流経路に配列されていない。したがって、それぞれのＳ／Ｈスイッチ３８０，３９０のインピーダンスは、図１及び図２のＳ／Ｈ伝送ゲート１６０，２６０のインピーダンスと同様に重大ではない。したがって、Ｓ／Ｈスイッチ３８０，３９０は、図１及び図２のＳ／Ｈ伝送ゲート１６０，２６０のトランジスタよりも大幅に小さくすることができ、したがって、必要とされるシリコンエリアの量を少なくすることができる。また、出力ステージトランジスタ３３２，３３４は、図１及び図２のＳ／Ｈ伝送ゲート１６０，２６０における相補的なトランジスタのペアの動作モードとは異なるモードで動作する。したがって、電圧フィードスルーが低減され、サンプリング精度は、集積されたサンプル・ホールド及びバッファ増幅器を有するビデオドライバ３００により改善される。
【００３４】
その後、図４は、本発明の１以上の態様に係るディスプレイ装置用のビデオドライバ４００の第二の実施の形態を示している。第二の実施の形態のビデオドライバ４００は、出力ステージ４３０の出力と入力ステージ４２０の間のフィードバック経路における伝送ゲート４５０の包含により第一の実施の形態のビデオドライバ３００とは異なる。伝送ゲート４５０は、ビデオドライバ４００のＳ／Ｈ制御端子４１５，４２５に接続される２つの制御端子を有している。
【００３５】
ここで、ビデオドライバ４００における伝送ゲート４５０の動作の説明は、利用される場合がある例示的なＬＣＯＳディスプレイ装置５００の環境で提供される。以下の説明では、Ｓ／Ｈスイッチ４８０，４９０の動作は、図３のＳ／Ｈスイッチの動作と同じであり、その詳細な説明はここでは繰り返されない。
【００３６】
動作的には、ビデオドライバ４００のＳ／Ｈ制御端子４１５，４２５に供給される相補的なＳ／Ｈ制御信号が第一の出力状態を有するとき、伝送ゲート４５０のトランジスタは、出力ステージ４３０から入力ステージ４２０へのフィードバック経路を接続するためにそれぞれオンにされる。したがって、ビデオドライバ４００は、ピクセル５１４ｉｊを充電するために「トラッキングモード」で動作し、これによりビデオデータをそこに書き込む。次いで、ビデオドライバ４００のＳ／Ｈ制御端子４１５，４２５に供給される相補的なＳ／Ｈ制御信号が第二の出力状態を有するとき、伝送ゲート４５０のトランジスタは、それぞれオンにされ、出力ステージ４３０から入力ステージ４２０にフィードバック経路を切り離す。したがって、ビデオドライバ４００は、「ホールドモード」で動作し、どのような電圧がピクセルキャパシタ５１４ｉｊに既に充電されていても、行ライン５２０ｉが次のビデオフレームの間に再びアクチベートされるまでそこに記憶されたままとなる。
【００３７】
有利なことに、伝送ゲート４５０は、サンプリング精度を改善し、「ホールドモード」で動作している間、ビデオ入力端子４３５とビデオ出力端子４４５との間を充電している結合を更に低減している。
【００３８】
好適な実施の形態が本明細書で開示されたが、本発明のコンセプト及び範囲にある多くの変形例が可能である。かかる変形例は、明細書、図面及び特許請求の範囲を調べた後に当業者にとって明らかとなるであろう。したがって、本発明は、特許請求の範囲の精神及び範囲を除いて制限されるものではない。
【図面の簡単な説明】
【００３９】
【図１】１実施の形態のディスプレイ装置を示す図である。
【図２】別の実施の形態のディスプレイ装置を示す図である。
【図３】第一の実施の形態のディスプレイ装置用のビデオドライバを示す図である。
【図４】第二の実施の形態のディスプレイ装置用のビデオドライバを示す図である。
【図５】図３又は図４のいずれかのビデオドライバを含むディスプレイ装置を示す図である。
【図１】
2006510945.tif 000003
【図２】
2006510945.tif 000004
【図３】
2006510945.tif 000005
【図４】
2006510945.tif 000006
【図５】
2006510945.tif 000007
【国際調査報告】
2006510945.tif 000008
2006510945.tif 000009
2006510945.tif 000010